【事件の表示】
　平成　３年特許願第　３２８４２号「電磁継電器」拒絶査定に対する審判事件［平成　４年　９月２９日出願公開、特開平　４−２７２６２８号］について、次のとおり審決する。
【結　論】
　本件審判の請求は、成り立たない。
【理　由】
１．手続の経緯・本願発明
　本願は平成３年２月２７日の出願であって、その請求項１に係る発明（以下、「本願発明」という ）は、平成１５年１１月６日付け手続補正書により補正された特許請求の範囲の請求項１に記載された次のとおりのものと認める。
　　
　「鉄心（４）、該鉄心にコイルボビン（１）を介して巻回されたコイル（２）、該鉄心の一端に固定された継鉄（５）、及び該継鉄にヒンジばね（６）によって接続され前記鉄心の他端に対向して設けられた接極子（７）を有する電磁石アセンブリ（Ｘ）と、
　一端部分、中間部分及び他端部分を有し、該中間部分は前記電磁石アセンブリ（Ｘ）の前記継鉄（５）が該一端部分側に向けられ且つ前記接極子（７）が該他端部分側に位置するように当該電磁石アセンブリ（Ｘ）を収容する収容部を一体に備え、前記一端部分には接点ばね組（９，１０，１１）が固着されているベースブロック（８）と、
　前記接極子（７）及び前記接点ばね組（９，１０，１１）を結合するカード（１２）と、を具備し、
　前記電磁石アセンブリ（Ｘ）が前記収容部の所定位置に収容されて前記ベースブロック（８）に取り付けられ、且つ、該電磁石アセンブリ（Ｘ）の該所定位置によって与えられた前記接極子（７）と前記接点ばね組（９，１０，１１）との間隙に前記カード（１２）が介在され、前記電磁石アセンブリ（Ｘ）は前記接点ばね組（９，１０，１１）の可動接点（９ａ）が前記固定接点（１０ａ，１１ａ）に対して所定の位置になるようにして前記ベースブロック（８）に固定されることを特徴とする電磁継電器。」
　なお、「前固定接点（１０ａ，１１ａ）」は、請求項３の「前記固定接点（１０ａ，１１ａ）」等の記載からみて、「前記固定接点（１０ａ，１１ａ）」の誤記と認めて上記のように認定した。
　
２．引用例
　これに対して、当審において平成１５年１０月２０日付けで通知した拒絶の理由に引用した本願出願前に頒布された刊行物である、特開昭６０−２４９２２１号公報（以下、「引用例１」という。）には、
　「第１図に示す小型リレーは下部に１つのスプリングブラケット（１）を備え、その上に小型リレーを外方に向かってシールしている透明な合成樹脂製のキャップをかぶせられている。スプリングブラケット（１）は電磁コイル（３）に対する支持体の役割を果し、且つコイルは円柱状コアー（４）、合成樹脂から成る捲芯（５）、電気捲線（６）、捲芯（５）と捲線（６）の外周とを取巻くヨーク（７）、及び揺動の可能な接極子（８）を備えている。
　電磁コイル（３）の円柱状のコアー（４）の軸線はスプリングブラケット（１）の底板（１０）に平行に延びている。
　電磁コイル（３）における絶縁材料から成る捲芯（５）は、揺動可能な接極子（８）及びスプリングブラケット（１）の近傍にブロック状の突出部を具えている。この突出部（１１）は、直交溝（１２）を上向きに持ち、この中に揺動可能な接極子が嵌合している。この溝（１２）には外側から内側へノーズ（１３）が突き出ており、このノーズ（１３）はヨーク（７）の端面に向き合う位置から下方へずれた位置にあり、静止状態の接極子（８）はブロック状突出部（１１）の弾性により円柱状コアー（４）の端面から離れた位置に保持されている。
　捲芯（５）のブロック状突出部（１１）及び溝（１２）の中に突き出ているノーズ（１３）により接極子（８）の為のヒンジ及び引離し用のスプリングが同時に形成されている。
　スプリングブラケット（１）の底板（１０）に対して垂直に設けられた揺動可能な接極子（８）は、その上部の自由端に矩形の開口（１４）を備え、その中に横断面が扁平な作動ロッドの延長部（１５）が突き出ている。この作動ロッド（１６）は延長部（１５）からスプリング作動する接触部（１７）が設けられている小型リレーの反対の側に達している。この接触部（１７）は第２図に記載されている如く２つの切換え接触子（１８）、（１９）を備え、これら接触子（１８）、（１９）は作動ロッド（１６）の作用により作動する。作動ロッド（１６）はこの為に延長部（１５）と反対側に設けられた２つのロッドセクション（２０）、（２１）を備え、これらロッドセクション（２０）、（２１）は夫々延長部（２２）、（２３）を有し、延長部（２２）、（２３）は２つの切換え接触子（１８）、（１９）の切換えスプリング（２６）、（２７）の矩形の開口（２４）、（２５）を通って突出している。２つの切換えスプリング（２６）、（２７）並びにこれらに平行に設けられた固定接触子支持体（２８）、（２９）及び可動接触子支持体（３０）、（３１）は上部に接触片（３２）を備え、これら支持体の夫々２つが切換えスプリング（２６）、（２７）の揺動位置によって接触せしめられる。この接触により切換えスプリング（２６）、（２７）の固定接触子支持体（２８）、（２９）又は可動接触子支持体（３０）、（３１）の何れかとの電気的接続が可能となる。エレメント（２６）〜（３１）により形成されるスプリング作動接触部は下方に差込み又はハンダ付け用端子（３３）から（３５）を具えており、これらの差込み又はハンダ付け端子（３３）から（３５）はスプリングブラケット（１）の中で位置を機械的に固定されている。」（第３頁右上欄第３行〜第４頁左上欄第１２行）と記載されており、
　第１図には、電気捲線（６）が、捲芯（５）を介して円柱状コアー（４）に巻回されていること、捲芯（５）の下に円柱状コアー（４）の一端から他端にわたって延びる底面部分と、その一端側に垂直の立ち上がり片を備えたヨーク（７）が配置され、円柱状コアー（４）の一端がその立ち上がり片を貫通しており、ヨーク（７）の他端側に接極子（８）が円柱状コアー（４）の他端と対向して設けられていること、及びスプリングブラケット（１）が、その中間部分においてヨーク（７）の底面部分と立ち上がり片に接触し、更に電磁コイル（３）の上面の一部を覆うように延びる部分を一体に備えていることが示されている。
　また、接触部（１７）が、ヨーク（７）の立ち上がり片を境にして、電磁コイル（３）と反対側に位置しており、かつ、２つの切換えスプリング（２６）（２７）の接触片（３２）が、固定接触子支持体（２８）（２９）の接触片（３２）と可動接触子支持体（３０）（３１）の接触片（３２）の間に位置していること及びスプリングブラケット（１）が、接触部（１７）と反対の側に、捲芯（５）の突出部（１１）を支持する部分を有していることが示されている。
　これらの記載及び図示内容から、引用例１には次の発明（以下、「引用発明」という。）が記載されていると認められる。
　「スプリングブラケット（１）と、電磁コイル（３）と、作動ロッド（１６）とからなるリレーであって、
　電磁コイル（３）は、円柱状コアー（４）、該円柱状コアー（４）に合成樹脂から成る捲芯（５）を介して巻回された電気捲線（６）、捲芯（５）と捲線（６）の外周とを取巻くヨーク（７）、及び揺動の可能な接極子（８）からなり、ヨーク（７）は、その一端側に垂直の立ち上がり片を備え、円柱状コアー（４）の一端がその立ち上がり片を貫通しており、ヨーク（７）の他端側には、接極子（８）が円柱状コアー（４）の他端と対向して捲芯（５）の、ヨーク（７）の端面から下方にずれた位置に設けたブロック状の突出部（１１）の溝（１２）に揺動可能に、引離し方向に付勢されて嵌合しており、
　スプリングブラケット（１）は、一端部分、中間部分及び他端部分を有し、中間部分には、その立ち上がり片を一端側に向け、且つ接極子（８）が他端側に位置しているヨーク（７）の底面部分と立ち上がり片に接触し、更に電磁コイル（３）の上面の一部を覆うように延びる部分を一体に備えて電磁コイル（３）を収容する収容部を備え、一端部分にはエレメント（２６）〜（３１）により形成されるスプリング作動接触部の下部が固定されており、
　作動ロッド（１６）は、接極子（８）と、スプリング作動接触部とを結合しているリレー」
　
　また、同じく、実願昭６２−３１８６８号（実開昭６３−１３９７４５号）の願書に添付した明細書及び図面の内容を撮影したマイクロフィルム（以下、「引用例２」という。）には、電磁継電器について、「２は接極子で前記Ｌ字形継鉄１に係止し、コイル３に通電させることにより接極子２を鉄心４の頭部に吸着させるようにしてある。・・・（中略）・・・５は復帰ばねである。」（明細書第４頁第２〜８行）と記載されており、第２図には、復帰ばね５がヒンジとなって、継鉄１と接極子２を接続していることが示されている。
　
３．対比・判断
　本願発明と引用発明とを対比すると、引用発明における、「円柱状コアー（４）」、「合成樹脂から成る捲芯（５）」、「電気捲線（６）」、「ヨーク（７）」、「接極子（８）」、「スプリングブラケット（１）」、「作動ロッド（１６）」、「エレメント（２６）〜（３１）により形成されるスプリング作動接触部」は夫々本願発明の「鉄心（４）」、「コイルボビン（１）」、「コイル（２）」、「継鉄（５）」、「接極子（７）」、「ベースブロック（８）」、「カード（１２）」、「接点ばね組（９，１０，１１）」に相当し、また、引用発明の「電磁コイル（３）」は、円柱状コアー（４）、合成樹脂から成る捲芯（５）、電気捲線（６）、捲芯（５）と捲線（６）の外周とを取巻くヨーク（７）、及び揺動の可能な接極子（８）を備えた集合体であるから、「電磁石アセンブリ」といえるものであり、引用発明の「リレー」が「電磁継電器」であることは明らかである。また、電磁継電器のヨーク（７）と円柱状コアー（４）の一端は通常固定されるものであり、電磁コイル（３）がスプリングブラケット（１）に固定されているのは設計上当然のことである。そして、引用発明の２つの切換えスプリング（２６）（２７）の接触片（３２）は、固定接触子支持体（２８）（２９）の接触片（３２）と可動接触子支持体（３０）、（３１）の接触片（３２）の間の所定の位置にあり、本願発明の「前記電磁石アセンブリ（Ｘ）は前記接点ばね組（９，１０，１１）の可動接点（９ａ）が前記固定接点（１０ａ，１１ａ）に対して所定の位置になるようにして前記ベースブロック（８）に固定される」は、接極子（７）と接点ばね組（９，１０，１１）との間隙に前記カード（１２）を介在させた上で電磁アセンブリ（Ｘ）の位置調節を行ってベースブロックに固定するという方法までも規定するものとは認められないから、両者は、
　「鉄心、該鉄心にコイルボビンを介して巻回されたコイル、該鉄心の一端に固定された継鉄、及び前記鉄心の他端に対向して設けられた接極子を有する電磁石アセンブリと、
　一端部分、中間部分及び他端部分を有し、該中間部分は前記電磁石アセンブリの前記継鉄が該一端部分側に向けられ且つ前記接極子が該他端部分側に位置するように当該電磁石アセンブリを収容する収容部を一体に備え、前記一端部分には接点ばね組が固着されているベースブロックと、
　前記接極子及び前記接点ばね組を結合するカードと、を具備し、
　前記電磁石アセンブリが前記収容部の所定位置に収容されて前記ベースブロックに取り付けられ、且つ、該電磁石アセンブリの該所定位置によって与えられた前記接極子と前記接点ばね組との間隙に前記カードが介在され、前記電磁石アセンブリは前記接点ばね組の可動接点が前記固定接点に対して所定の位置になるようにして前記ベースブロックに固定されることを特徴とする電磁継電器。」である点で一致し、
　前者においては、接極子（７）が継鉄（５）にヒンジばね（６）によって接続されているのに対し、後者においては、接極子（８）が、捲芯（５）の、ヨーク（７）の端面から下方にずれた位置に設けたブロック状の突出部（１１）の溝（１２）に揺動可能に、引離し方向に付勢されて嵌合している点で相違する。
　ところが、継鉄と接極子をヒンジばねにより接続することは、引用例２等に示されるように、電磁継電器において周知の技術手段であり、これを引用発明における、接極子の取付手段に代えて適用することを妨げる要因はなく、この技術手段を引用発明に適用することによって格別の効果を奏するものでもないから、本願発明は引用発明に上記周知の技術手段を適用することにより当業者が容易に想到し得るものである。
　
４．むすび
　したがって、本願発明は、引用例１に記載された発明及び周知技術に基いて当業者が容易に発明をすることができたものであるから、特許法第２９条第２項の規定により特許を受けることができない。
　よって、結論のとおり審決する。